(57)【要約】【課題】複数の表示装置のうち、設定元の表示装置に対して返答をしなくても識別子の設定が可能な表示システムにおける識別子の設定方法を提供する。【解決手段】第１表示装置は、入力端子に他の表示装置が接続されず、出力端子に他の表示装置がデイジーチェーン接続されており、前記第１表示装置以外の表示装置は、自身の入力端子を介して前段の表示装置から供給される共通識別子を入力して識別子として記憶するとともに、前記共通識別子を後段の表示装置に出力する第１ステップと、自身に前記共通識別子が記憶された状態において前記前段の表示装置から固有識別子が供給されると、自身に記憶された前記共通識別子を前記固有識別子に書き換える第２ステップと、前記固有識別子が書き込まれた後に、前記前段の表示装置から固有識別子が供給された場合には、後段の表示装置に供給するステップとを有する。【選択図】図１
2017158071.tif 000002
【特許請求の範囲】
【請求項１】
第１表示装置から第ｎ（ｎは２以上の自然数）表示装置までの表示装置を含む表示システムにおける識別子の設定方法であり、
第１表示装置は、入力端子に他の表示装置が接続されず、出力端子に他の表示装置がデイジーチェーン接続されており、
前記第１表示装置以外の表示装置は、
自身の入力端子を介して前段の表示装置から供給される共通識別子を入力して識別子として記憶するとともに、前記共通識別子を後段の表示装置に出力する第１ステップと、
自身に前記共通識別子が記憶された状態において前記前段の表示装置から固有識別子が供給されると、自身に記憶された前記共通識別子を前記固有識別子に書き換える第２ステップと、
前記固有識別子が書き込まれた後に、前記前段の表示装置から固有識別子が供給された場合には、後段の表示装置に供給するステップと、
表示システムにおける識別子の設定方法。
【請求項２】
前記第１ステップでは、さらに、
前記共通識別子を後段の表示装置に出力した後には、前記自身の入力端子から入力される情報を自身の出力端子に供給しない状態に変更する
請求項１記載の表示システムにおける識別子の設定方法。
【請求項３】
前記第２ステップでは、さらに、
前記固有識別子の書き換えを行った後には、前記自身の入力端子から入力される情報を前記自身の出力端子に供給する状態に変更する
請求項１または請求項２記載の表示システムにおける識別子の設定方法。
【請求項４】
前記第１表示装置は、
共通識別子を供給した後、前記共通識別子とは異なるとともに互いに異なる固有識別子を順に後段の表示装置に供給する
請求項１から請求項３のうちいずれか１項に記載の表示システムにおける識別子の設定方法。
【請求項５】
前記第１表示装置は、
予め定められた固有識別子まで供給した場合には、固有識別子の供給を停止する
請求項４記載の表示システムにおける識別子の設定方法。
【請求項６】
前記第１表示装置は、
表示装置が接続可能な入力端子に他の表示装置が接続されているか否かを判定し、接続されていない場合に、前記後段の表示装置に対する前記固有識別の供給を行う
請求項４または請求項５に記載の表示システムにおける識別子の設定方法。
【請求項７】
第１表示装置から第ｎ（ｎは２以上の自然数）表示装置までの表示装置を含み、前記第１表示装置に対して他の表示装置がデイジーチェーン接続された表示システムであり、
前記第１表示装置は、
共通識別子を供給した後、前記共通識別子とは異なるとともに互いに異なる固有識別子を順に後段の表示装置に供給する識別子供給部を有し、
前記第１表示装置以外の表示装置は、
自身の入力端子を介して前段の表示装置から供給される共通識別子を入力して識別子として記憶するとともに、前記共通識別子を後段の表示装置に出力する共通識別子管理部と、
自身に前記共通識別子が記憶された状態において前記前段の表示装置から固有識別子が供給されると、自身に記憶された前記共通識別子を前記固有識別子に書き換える固有識別子管理部と、
前記固有識別子が書き込まれた後に、前記前段の表示装置から固有識別子が供給された場合には、後段の表示装置に供給する固有識別子供給部と、
を有する表示システム。
【請求項８】
第１表示装置から第ｎ（ｎは２以上の自然数）表示装置までの表示装置を含み、前記第１表示装置に対して他の表示装置であるスレーブ側の表示装置がデイジーチェーン接続された表示システムにおけるスレーブ側の表示装置であり、
前記スレーブ側の表示装置は、
自身の入力端子を介して前段の表示装置から供給される共通識別子を入力して識別子として記憶するとともに、前記共通識別子を後段の表示装置に出力する共通識別子管理部と、
自身に前記共通識別子が記憶された状態において前記前段の表示装置から固有識別子が供給されると、自身に記憶された前記共通識別子を前記固有識別子に書き換える固有識別子管理部と、
前記固有識別子が書き込まれた後に、前記前段の表示装置から固有識別子が供給された場合には、後段の表示装置に供給する固有識別子供給部と、
を有する表示装置。
【発明の詳細な説明】
【技術分野】
【０００１】
本発明は、表示システムにおける識別子の設定方法、表示システム、表示装置に関する。
【背景技術】
【０００２】
複数の表示装置が接続されたマルチ表示システムがある。このマルチ表示システムにおいては、各表示装置に対し、固有の識別子を設定することが行われる。複数の機器に対して固有の識別子を設定する方法として種々あるが、例えば特許文献１に記載された識別子の設定方法がある。この識別子の設定方法においては、ホストコンピュータに接続される複数の映像機器に対し、ホストコンピュータが識別子を映像機器のそれぞれに識別子を設定する。
【先行技術文献】
【特許文献】
【０００３】
【特許文献１】特開平６−２１７１９５号公報
【発明の概要】
【発明が解決しようとする課題】
【０００４】
しかしながら、特許文献１に示す識別子の設定方法においては、ホストコンピュータに接続された映像機器は、自身に対する識別子の設定が完了した場合には、ホストコンピュータに対し、設定が完了したことを返答する必要がある。そのため、返答するための回路を設ける必要がある。
【０００５】
本発明は、このような事情に鑑みてなされたもので、その目的は、複数の表示装置のうち、設定元の表示装置に対して返答をしなくても識別子の設定が可能な表示システムにおける識別子の設定方法、表示システム、表示装置を提供することにある。
【課題を解決するための手段】
【０００６】
上述した課題を解決するために、本発明は、第１表示装置から第ｎ（ｎは２以上の自然数）表示装置までの表示装置を含む表示システムにおける識別子の設定方法であり、第１表示装置は、入力端子に他の表示装置が接続されず、出力端子に他の表示装置がデイジーチェーン接続されており、前記第１表示装置以外の表示装置は、自身の入力端子を介して前段の表示装置から供給される共通識別子を入力して識別子として記憶するとともに、前記共通識別子を後段の表示装置に出力する第１ステップと、自身に前記共通識別子が記憶された状態において前記前段の表示装置から固有識別子が供給されると、自身に記憶された前記共通識別子を前記固有識別子に書き換える第２ステップと、前記固有識別子が書き込まれた後に、前記前段の表示装置から固有識別子が供給された場合には、後段の表示装置に供給するステップとを有する。
【０００７】
また、本発明は、第１表示装置から第ｎ（ｎは２以上の自然数）表示装置までの表示装置を含み、前記第１表示装置に対して他の表示装置がデイジーチェーン接続された表示システムであり、前記第１表示装置は、共通識別子を供給した後、前記共通識別子とは異なるとともに互いに異なる固有識別子を順に後段の表示装置に供給する識別子供給部を有し、前記第１表示装置以外の表示装置は、自身の入力端子を介して前段の表示装置から供給される共通識別子を入力して識別子として記憶するとともに、前記共通識別子を後段の表示装置に出力する共通識別子管理部と、自身に前記共通識別子が記憶された状態において前記前段の表示装置から固有識別子が供給されると、自身に記憶された前記共通識別子を前記固有識別子に書き換える固有識別子管理部と、前記固有識別子が書き込まれた後に、前記前段の表示装置から固有識別子が供給された場合には、後段の表示装置に供給する固有識別子供給部と、を有する。
【０００８】
また、本発明は、第１表示装置から第ｎ（ｎは２以上の自然数）表示装置までの表示装置を含み、前記第１表示装置に対して他の表示装置であるスレーブ側の表示装置がデイジーチェーン接続された表示システムにおけるスレーブ側の表示装置であり、前記スレーブ側の表示装置は、自身の入力端子を介して前段の表示装置から供給される共通識別子を入力して識別子として記憶するとともに、前記共通識別子を後段の表示装置に出力する共通識別子管理部と、自身に前記共通識別子が記憶された状態において前記前段の表示装置から固有識別子が供給されると、自身に記憶された前記共通識別子を前記固有識別子に書き換える固有識別子管理部と、前記固有識別子が書き込まれた後に、前記前段の表示装置から固有識別子が供給された場合には、後段の表示装置に供給する固有識別子供給部と、を有する。
【発明の効果】
【０００９】
以上説明したように、この発明によれば、識別子を設定する際に、設定先の表示装置から設定元の表示装置に対して返答をしなくても識別子の設定を行うことができる。
【図面の簡単な説明】
【００１０】
【図１】この発明の一実施形態による表示システムの構成を示す概略ブロック図である。
【図２】表示システム１の動作について説明する概念図である。
【図３】表示システム１の動作について説明する概念図である。
【図４】表示システム１の動作について説明する概念図である。
【図５】表示システム１の動作について説明する概念図である。
【図６】表示システム１の動作について説明する概念図である。
【図７】表示システム１の動作について説明する概念図である。
【図８】表示システム１の動作について説明する概念図である。
【図９】第２の実施形態における表示システムにおける識別子の設定方法の流れを表すフローチャートである。
【図１０】第３の実施形態における表示システムの構成を表す概略ブロック図である。
【発明を実施するための形態】
【００１１】
以下、本発明の一実施形態による表示システムについて図面を参照して説明する。
図１は、この発明の一実施形態による表示システムの構成を示す概略ブロック図である。
表示システム１は、表示装置１０に対し、表示装置２０、表示装置３０、表示装置４０、表示装置５０、表示装置６０、表示装置７０がデイジーチェーン接続されて構成される。
表示装置１０は、ＣＰＵ（中央処理装置）１１、入力端子１２、出力端子１３、スイッチ１４を有している。ＣＰＵ１１は、内部に記憶領域を有しており、識別子を記憶することができる。また、ＣＰＵ１１は、入力端子１２に接続されるとともに、出力端子１３に接続される。スイッチ１４は、入力端子１２と出力端子１３との間に接続され、ＣＰＵ１１からの指示に基づいて、入力端子１２と出力端子１３との間を接続または切断する。入力端子１２は、他の表示装置を接続することが出来るが、ここでは何も接続されていない。このため、表示装置１０は、デイジーチェーン接続される先頭の表示装置（送信側の表示装置）として機能する。出力端子１３は、通信ケーブルを介して後段の表示装置の入力端子に接続される。以下、表示装置１０を送信側の表示装置あるいはマスタ側の表示装置と称する場合がある。
【００１２】
表示装置２０は、表示装置１０の後段に通信ケーブルを介して接続される。表示装置３０は、表示装置２０の後段に通信ケーブルを介して接続される。表示装置４０は、表示装置３０の後段に通信ケーブルを介して接続される。表示装置５０は、表示装置４０の後段に通信ケーブルを介して接続される。表示装置６０は、表示装置５０の後段に通信ケーブルを介して接続される。表示装置７０は、表示装置６０の後段に通信ケーブルを介して接続される。表示装置７０は、後段には他の表示装置が接続されておらず、デイジーチェーン接続における末端の表示装置である。
【００１３】
表示装置２０は、ＣＰＵ２１、入力端子２２、出力端子２３、スイッチ２４を有している。ＣＰＵ２１は、内部に記憶領域を有しており、識別子を記憶することができる。また、ＣＰＵ１１は、入力端子２２に接続されるとともに、出力端子２３に接続される。スイッチ２４は、入力端子２２と出力端子２３との間に接続され、ＣＰＵ２１からの指示に基づいて、入力端子２２と出力端子２３との間を接続または切断する。入力端子２２は、他の表示装置を接続することが出来るが、ここでは表示装置１０の出力端子１３に通信ケーブルを介して接続される。出力端子２３は、通信ケーブルを介して後段の表示装置（表示装置３０）の入力端子に接続される。
【００１４】
表示装置３０、表示装置４０、表示装置５０、表示装置６０、表示装置７０は、表示装置２０とほぼ同様の構成を有するため、その説明を省略する。また、表示装置３０、表示装置４０、表示装置５０、表示装置６０、表示装置７０は、以下、受信側の表示装置またはスレーブ側の表示装置と称する場合がある。
【００１５】
表示装置１０、表示装置２０、表示装置３０、表示装置４０、表示装置５０、表示装置６０、表示装置７０に設けられたそれぞれのＣＰＵの識別子を記憶する記憶領域には、初期段階において、識別子の初期値（例えば９９番）が記憶されている。
【００１６】
次に、上述の表示システム１の動作について図１から図８を用いて説明する。図２から図８において、図１と同じ構成については同一の符号を付し、その説明を省略する。また、図１において、初期段階では、スイッチ１４、スイッチ２４、スイッチ３４、スイッチ４４、スイッチ５４、スイッチ６４、スイッチ７４は、いずれも、オン状態すなわち、入力端子と出力端子との間が接続された状態となっている。
【００１７】
図１に示す状態において、複数の表示装置がデイジーチェーン接続され、電源が投入されると、自身の入力端子に前段の表示装置が接続されているか否かを判定し、接続されていない場合には、マスタ側の表示装置として機能することを決定し、接続されている場合には、スレーブ側の表示装置として機能することを決定する。ここでは、表示装置１０がマスタ側として機能することを決定し、表示装置２０、表示装置３０、表示装置４０、表示装置５０、表示装置６０、表示装置７０は、スレーブ側として機能すると決定する。
【００１８】
マスタ側かスレーブ側かの判定が終了すると、表示装置１０のＣＰＵ１１は、表示装置２０に対し、０番の識別子を供給する。この０番の識別子は、後段に接続された表示装置のそれぞれに共通する識別子（共通識別子）として一時的に用いられる。表示装置１０から０番の識別子が供給されると、図２に示すように、スレーブ側の各表示装置（２０、３０、４０、５０、６０、７０）は、入力端子を介して０番の識別子を取得し、自身のＣＰＵの記憶領域に記憶する。
【００１９】
スレーブ側の各表示装置（２０、３０、４０、５０、６０、７０）は、０番の識別子の記憶領域への書き込みが終了すると、ＣＰＵにて一定時間が経過したか否かを判定し、一定時間が経過したと判定されると、図３に示すように、自身に設けられたスイッチ（表示装置２０はスイッチ２４、表示装置３０はスイッチ３４、表示装置４０はスイッチ４４、表示装置５０はスイッチ５４、表示装置６０はスイッチ６４、表示装置７０はスイッチ７４）をオフ状態にする。スイッチのオフ状態においては、入力端子と出力端子との間が切断される。
【００２０】
表示装置１０は、スレーブ側の各表示装置のスイッチがオフ状態に遷移した後、１番である識別子を出力端子１３から出力するとともに、識別子を設定する命令を出力する。ここでは、スイッチ２４、スイッチ３４、スイッチ４４、スイッチ５４、スイッチ６４、スイッチ７４は、いずれもオフ状態となっているため、この１番の識別子とその命令は、表示装置２０のみに供給される。表示装置３０を含む後段の表示装置は、自身の前段の表示装置のスイッチがオフ状態となっているため、１番の識別子とその命令は入力されない。
表示装置２０のＣＰＵ２１は、１番の識別子とその命令が入力端子２２を介して入力されると、自身の記憶領域に記憶された識別子が０番であるか否かを判定し、０番である場合には、図４に示すように、ＣＰＵ２１内の記憶領域において、記憶された０番の識別子を１番の識別子に書き換える。そして、ＣＰＵ２１は、一定時間が経過したか否かを判定し、一定時間が経過したと判定されると、図５に示すように、自身に設けられたスイッチ２４をオン状態にする。
【００２１】
次に、表示装置１０は、表示装置２０のスイッチ２４がオン状態に遷移した後、２番である識別子を出力端子１３から出力するとともに、識別子を設定する命令を出力する。ここでは、スイッチ２４がオン状態となっており、スイッチ３４、スイッチ４４、スイッチ５４、スイッチ６４、スイッチ７４は、オフ状態となっているため、この２番の識別子とその命令は、表示装置２０を介して表示装置３０に供給される。表示装置４０を含む後段の表示装置は、自身の前段の表示装置のスイッチがオフ状態となっているため、２番の識別子とその命令は入力されない。
表示装置２０のＣＰＵ２１は、２番の識別子とその命令が入力端子２２を介して入力されると、自身の記憶領域に記憶された識別子が０番であるか否かを判定し、ここでは１番であり０番ではないため、識別子の書き換えは行わない。また、表示装置２０は、スイッチ２４がオン状態であるため、２番の識別子とその命令を後段の表示装置３０に供給する。
表示装置３０のＣＰＵ３１は、２番の識別子とその命令が入力端子３２を介して入力されると、自身の記憶領域に記憶された識別子が０番であるか否かを判定し、ここでは０番であるため、図６に示すように、ＣＰＵ３１内の記憶領域において、記憶された０番の識別子を２番の識別子に書き換える。そして、ＣＰＵ３１は、一定時間が経過したか否かを判定し、一定時間が経過したと判定されると、図７に示すように、自身に設けられたスイッチ３４をオン状態にする。
【００２２】
以降は同様に、表示装置１０は、３番の識別子とその識別子に書き換える命令との出力をした後、次の識別子とその識別子に書き換える命令との出力を予め定められた最大値の識別子（例えば９８番の識別子）に到達するまで順に出力する。０番の識別子が記憶された表示装置は、自身の記憶領域に記憶された識別子が０番であるか否かを判定し、０番である場合に、ＣＰＵ内の記憶領域において、記憶された０番の識別子について、入力された番号の識別子に書き換え、一定時間が経過したか否かを判定し、一定時間が経過したと判定されると、自身に設けられたスイッチ３４をオン状態にし、新たな識別子が上位側（マスタ側）の表示装置から供給された場合には、識別子の書き換えは行わず、後段の表示装置に供給する。
【００２３】
上述した識別子の設定手順の実行が終了すると、図８に示すように、表示装置１０は９９番の識別子が記憶され、スイッチ１４がオン状態となり、表示装置２０は１番の識別子が記憶され、スイッチ２４がオン状態となり、表示装置３０は２番の識別子が記憶され、スイッチ３４がオン状態となる。表示装置４０は３番の識別子が記憶され、スイッチ４４がオン状態となり、表示装置５０は４番の識別子が記憶され、スイッチ５４がオン状態となる。表示装置６０は５番の識別子が記憶され、スイッチ６４がオン状態となり、表示装置７０は６番の識別子が記憶され、スイッチ７４がオン状態となる。
【００２４】
そして、識別子の設定が終了すると、各表示装置におけるＣＰＵは、前段の表示装置から供給される命令に応じて、自身の制御対象のスイッチのオン状態とオフ状態との切り換えを行うことで、必要に応じて、前段の表示装置から供給される命令や各種信号を、後段の表示装置に供給する。
【００２５】
上述した実施形態によれば、複数の表示装置において、情報の流れを前段の表示装置から後段の表示装置に向かう一方側のみの通信を用いることができるため、お互いに異なる識別子を、前段の表示装置に対して返答を行うことなく設定することができる。そのため、前段側の表示装置に対して返答を行うための回路が不要となり、回路規模を小さくすることができる。また、上述の実施形態によれば、各表示装置は、お互いに接続するだけで、マスタ側かスレーブ側の判定が行われる。このように、接続状態のみで決定されるため、ユーザは、それぞれをデイジーチェーン接続する前に送信側や受信側などの設定を行う必要がない。
【００２６】
以上説明した実施形態において、共通識別子として０番の識別子を用いる場合について説明したが、共通識別子であることが予め定められていれば、０番以外の識別子を用いるようにしてもよい。また、上述の実施形態において、固有の識別子は、昇順となるように順次供給される場合について説明したが、共有識別子とマスタ側の表示装置に設定された識別子以外であって、お互いに異なる識別子であれば、どの順で供給してもよい。
また、上述の実施形態において、スイッチをオン状態またはオフ状態に切り換える際に、一定時間が経過したか否かを判定してから切り換えを行う場合について説明したが、上述の設定手順に沿って進められる場合には、一定時間が経過したか否かの判定を行わなくてもよい。また、上述した実施形態において、表示装置１０は、９８番の識別子に到達するまで、固有の識別子を順次供給する場合について説明したが、デイジーチェーン接続される表示装置の全体の台数が予め解っている場合には、その台数に応じて最大値を予め設定するようにしてもよい。例えば、図１に示すように、後段に６台の表示装置が接続される場合には、表示装置１０は、６番の識別子を最大値の識別子として用いるようにしてもよい。また、上述した実施形態において、スイッチを用いて入力端子と出力端子とを接続するようにしたが、通信を送信する制御部は、故障回避のため、ハイインピーダンスまたは当該制御部から出力端子への回路の切断を行うようにしてもよい。
【００２７】
次に、第２の実施形態における表示システムにおける識別子の設定方法ついて説明する。図９は、第２の実施形態における表示システムにおける識別子の設定方法の流れを表すフローチャートである。この実施形態において、表示システムは、第１表示装置から第ｎ（ｎは２以上の自然数）表示装置までの表示装置を含む。また、第１表示装置は、入力端子に他の表示装置が接続されず、出力端子に他の表示装置がデイジーチェーン接続される。
第１表示装置以外の表示装置は、自身の入力端子を介して前段の表示装置から供給される共通識別子を入力して識別子として記憶するとともに、前記共通識別子を後段の表示装置に出力する（ステップＳ１０１）。次に、当該第１表示装置以外の表示装置は、自身に共通識別子が記憶された状態において前段の表示装置から固有識別子が供給されると、自身に記憶された共通識別子を固有識別子に書き換える（ステップＳ１０２）。そして、当該第１表示装置以外の表示装置は、固有識別子が書き込まれた後に、前段の表示装置から固有識別子が供給された場合には、後段の表示装置に供給する（ステップＳ１０３）。
【００２８】
次に、第３の実施形態における表示システムについて説明する。図１０は、第３の実施形態における表示システムの構成を表す概略ブロック図である。
表示システム１００は、表示装置１１０から表示装置１２０ｎまでの表示装置を含み、表示装置１１０に対して他の表示装置がデイジーチェーン接続される。ｎは、２以上の自然数であり、すなわち、複数の表示装置１２０ｎが接続可能である。
表示装置１１０は、共通識別子を供給した後、共通識別子とは異なるとともに互いに異なる固有識別子を順に後段の表示装置に供給する識別子供給部１１１を有する。
表示装置１２０ｎは、自身の入力端子を介して前段の表示装置から供給される共通識別子を入力して識別子として記憶するとともに、共通識別子を後段の表示装置に出力する共通識別子管理部１２１と、自身に共通識別子が記憶された状態において前段の表示装置から固有識別子が供給されると、自身に記憶された共通識別子を固有識別子に書き換える固有識別子管理部１２２と、固有識別子が書き込まれた後に、前段の表示装置から固有識別子が供給された場合には、後段の表示装置に供給する固有識別子供給部１２３とを有する。
【００２９】
上述した実施形態における送信側の表示装置（例えば、表示装置１０、表示装置１１０）、受信側の表示装置（例えば、表示装置２０、表示装置３０、表示装置４０、表示装置５０、表示装置６０、表示装置７０）をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００３０】
以上、この発明の実施形態について図面を参照して詳述してきたが、具体的な構成はこの実施形態に限られるものではなく、この発明の要旨を逸脱しない範囲の設計等も含まれる。
【符号の説明】
【００３１】
１、１００  表示システム
１０、２０、３０、４０、５０、６０、７０、１１０、１２０ｎ  表示装置
１１、２１、３１、４１、５１、６１、７１  ＣＰＵ（中央処理装置）
１２、２２、３２、４２、５２、６２、７２  入力端子
１３、２３、３３、４３、５３、６３、７３  出力端子
１４、２４、３４、４４、５４、６４、７４  スイッチ
１１１  識別子供給部
１２１  共通識別子管理部
１２２  固有識別子管理部
１２３  固有識別子供給部
【図１】
2017158071.tif 000003
【図２】
2017158071.tif 000004
【図３】
2017158071.tif 000005
【図４】
2017158071.tif 000006
【図５】
2017158071.tif 000007
【図６】
2017158071.tif 000008
【図７】
2017158071.tif 000009
【図８】
2017158071.tif 000010
【図９】
2017158071.tif 000011
【図１０】
2017158071.tif 000012